(57)【要約】【課題】密閉性を良好に維持し、蓋を簡単に開けることが可能な容器を提供する。【解決手段】容器６０は本体４０と蓋５０を備える。本体４０は、底面４１、壁面４２および第一密着部４３を有する。蓋５０は、頂面５１、フレーム５２、および、第二密着部５３を有する。本体４０は、壁面４２の少なくとも一つの端部に形成された凹面４２１、および、凹面４２１と屈折辺４４との間に形成される後退空間４５を有し、かつ凹面４２１の頂部と第一密着部４３とを連続して凹状の第三密着部４３’を構成することによって第一密着部４３と第三密着部４３’とが連なる部位となる。一方、本体４０の凹面４２１および第三密着部４３’は凹弧状を呈する。第三密着部４３’は外側面に形成された唇部４４’、および、唇部４４’と屈折辺４４との間に形成された円弧凹面４６を有する。【選択図】  図５
0003178354.tif 000002
【実用新案登録請求の範囲】
【請求項１】
本体および蓋を備え、
前記本体は、底面、壁面および第一密着部を有し、
前記壁面は前記底面の周りから上に伸びて形成され、
前記第一密着部は前記壁面の頂部の周りに形成され、第一水平密着面、当該第一水平密着面から上に伸びて形成される第一垂直密着面、および、前記第一垂直密着面を外に曲げて折って形成する屈折辺を有し、
前記蓋は、頂面、フレーム、および、第二密着部を有し、
前記フレームは前記頂面の周りから下に伸びて形成され、
前記第二密着部は、前記本体の前記第一密着部に対応するように前記フレームの外周縁部に形成され、前記第一水平密着面に対応かつ密着する第二水平密着面、前記第一垂直密着面に対応かつ密着する第二垂直密着面、および、前記第二垂直密着面から外に伸びて形成された辺縁突出部を有し、
前記本体は、前記壁面の少なくとも一つの端部に形成される凹面、および、前記凹面と前記屈折辺との間に形成される後退空間を有し、前記凹面の頂部と前記第一密着部とを連続して凹状の第三密着部を構成することによって前記第一密着部と前記第三密着部とが連なる部位となり、
前記本体の前記凹面および前記第三密着部は凹弧状を呈し、
前記第三密着部は外側面に形成される唇部、および、前記唇部と前記屈折辺との間に形成される円弧凹面を有し、
前記蓋の前記フレームは、前記本体の前記凹面に対し、前記第二密着部と連続しかつ前記第三密着部に密着可能な凹状の第四密着部を有することによって前記第二密着部と前記第四密着部とが連なる部位となり、
前記第四密着部は外側に前記円弧凹面の上方に入り込む突出耳部を有することを特徴とする容器。
【請求項２】
前記本体の前記第一密着部および前記第三密着部は、前記第一水平密着面が陥没して形成する第一環状凹溝、および、前記第一垂直密着面が外側に突出して形成する第二環状凹溝を有し、
前記蓋の前記第二密着部および前記第四密着部は、前記第二水平密着面に前記第一環状凹溝に嵌合する第一環状突起部が形成され、前記第二垂直密着面に前記第二環状凹溝に嵌合する第二環状突起部が形成されることを特徴とする請求項１に記載の容器。
【請求項３】
前記蓋および前記本体は、後側に連結部を有することを特徴とする請求項１に記載の容器。
【請求項４】
前記蓋は、前記頂面に前記本体の前記底面を安定させるための環状突起部を有することを特徴とする請求項１に記載の容器。
【考案の詳細な説明】
【技術分野】
【０００１】
本考案は、容器に関し、詳しくは蓋を容易に開けることが可能な容器に関するものである。
【背景技術】
【０００２】
従来、真空成形によるプラスチック容器は、少ない材料で、多様な形状に変化可能であるため、箱、コップ、茶碗などの形に製作されるだけでなく、特に食品および鮮度保持用容器に適する。
【先行技術文献】
【特許文献】
【０００３】
【特許文献１】米国特許６，０５６，１３８号
【特許文献２】米国特許７，１１８，００３号
【特許文献３】米国特許５，５０７，４０６号
【特許文献４】米国特許６，８８３，６７３号
【考案の概要】
【考案が解決しようとする課題】
【０００４】
しかしながら、種類の多い食品、特にゼリー、プリン、チーズなどの液体の食品または流動食品を製造元から販売店および消費者の家まで運送したり携帯したりする過程において、容器内の食品が漏れないことを確保するため、容器を密封する必要がある。
【０００５】
図１に示すように、従来の食品容器１において、流動食品１２が入れてあるコップ体１１はラップまたはアルミ箔１３によって密封される。このような構造は運送過程において流動食品１２の漏れを確実に防止することができる。しかしながら、飲用する際、ラップまたはアルミ箔１３を剥がして内部の食品を飲み切れなかったら、再びコップ体１１を密封し、鮮度を保持することができないことが欠点である。
【０００６】
図２に示すように、別の従来の食品容器２において、コップ体２１は上方に真空成形によって製作された蓋２２を有する。蓋２２は周りの嵌合部２２１によってコップ２１の辺縁突起部２１１に嵌合され、安定する。このような食品容器２は非液体食品または非流動食品に対応できるが、液体食品または流動食品２３に使用される際、密封性がよくないため、漏れ現象が起こりやすい。一方、周りの嵌合部２２１と辺縁突起部２１１との結合面を加熱し、密封すれば流体食品の漏れを防止可能であるが、飲用する際、開けにくいだけでなく、はさみまたはカッターを使用し、蓋２２を壊す場合があるため、鮮度を持続的に保持することができない。
【０００７】
図３および図４に示したのは、特許文献１に開示された食品容器３の構造を示す模式図である。箱体３１は上方に真空成形によって製作された蓋３２を有する。蓋３２は周りのコ字型部３２１が箱体３１の辺縁突起部３１１に嵌合され、かつコ字型部３２１の外側底部のフック（Locking Lip）３２２が辺縁突起部３１１の底部に引っかかることによって固定される。このような食品容器３の嵌合方式は、図２に示すように結合箇所を加熱して密封する作業を免除することができるが、使用する際、次の欠点を有する。
【０００８】
一、蓋３２のフック３２２は辺縁突起部３１１の底部に引っかかる。蓋３２を開ける際、指でフック３２２を持ち上げなければならないため、指が痛くなるだけでなく、指に傷つけるおそれがある。従って、使用に不便である。
【０００９】
二、フック３２２によって蓋３２と箱体３１の固定および安定性を向上させ、かつ蓋３２が箱体３１から逸脱することを抑制することができるが、蓋３２と箱体３１の結合面３３は平面接触であり、真空成形によって製作された容器は非常に薄く、張力または強度は両者を相互に密着させて密封するに足りないため、箱体３１が傾くと、箱体３１内部の流体３５が結合面３３の隙間３４から外部に漏れるおそれがある。従って、上述した食品容器は密封を確実に達成することができない。
【００１０】
また、特許文献２に開示された発明、特許文献３に開示された発明、特許文献４に開示された発明などの食品容器がある。
【００１１】
上述した従来の発明は、蓋を本体に密閉することによって漏れを確実に防止することができる。そのうちの特許文献４に記載の発明は、容器本体と蓋を成形する際、辺縁の結合箇所の間かつ横側および縦側に相互に対応する環状凹溝および環状突起部を配置することによって二つの相互に垂直に当接し、係止を行う密着構造を構成することであるため、加圧ラミネーション工程を行う必要なく、密閉効果を達成することができる。該案は密閉性が極めて優れているため、かえって蓋を開ける際、開けにくい。
【００１２】
本考案は、上述の問題に鑑みてなされたものであり、その目的は、密閉性を良好に維持し、蓋を簡単に開けることが可能な容器を提供することにある。
【課題を解決するための手段】
【００１３】
本考案に係る容器は本体および蓋を備える。
本体は、壁面の少なくとも一つの端部に形成される凹面、および、凹面と屈折辺との間に形成される後退空間を有し、かつ凹面の頂部と第一密着部とを連続して凹状の第三密着部を構成することによって第一密着部と第三密着部とが連なる部位となる。
本体の凹面および第三密着部は凹弧状を呈する。
第三密着部は外側面に形成される唇部、および、唇部と屈折辺との間に形成される円弧凹面を有する。
【００１４】
蓋のフレームは、本体の凹面に対し、第二密着部と連続しかつ第三密着部に密着可能な凹状の第四密着部を有することによって第二密着部と第四密着部とが連なる部位となる。また、第四密着部は外側に円弧凹面の上方に入り込む突出耳部を有する。
【００１５】
蓋を開ける際、片手の指で本体の後退空間に入れ、別の片手の指で円弧凹面内の突出耳部を握れば蓋を本体から持ち上げることができる。
【００１６】
本考案は上述した技術手段により、蓋の密閉性を良好に維持し、かつ蓋を開ける際の操作を簡単にすることができる。
【図面の簡単な説明】
【００１７】
【図１】従来の食品容器を示す模式図である。
【図２】従来の食品容器を示す模式図である。
【図３】従来の食品容器を示す模式図である。
【図４】図３の要部を示す拡大図である。
【図５】本考案の一実施形態による容器を示す斜視図である。
【図６】本考案の一実施形態による容器を示す斜視図である。
【図７】図５の７−７線断面図である。
【図８】図６の８−８線断面図である。
【図９】図６の９−９線断面図である。
【図１０】図６の１０−１０線断面図である。
【図１１】本考案の一実施形態による容器の使用状態を示す模式図である。
【考案を実施するための形態】
【００１８】
以下、本考案の実施形態による容器を図面に基づいて説明する。
（一実施形態）
図５から図１０に示すように、本考案の一実施形態による容器６０は本体４０と蓋５０を備える。
【００１９】
本体４０は、底面４１、壁面４２および第一密着部４３を有する。壁面４２は底面４１の周りから上に伸びて形成される。第一密着部４３は壁面４２の頂部の周りに形成され、第一水平密着面４３ａ、第一水平密着面４３ａから上に伸びて形成された第一垂直密着面４３ｂ、および第一垂直密着面４３ｂを外に曲げて折って形成した屈折辺４４を有する。
【００２０】
蓋５０は、頂面５１、フレーム５２、および、第二密着部５３を有する。フレーム５２は頂面５１の周りから下に伸びて形成される。第二密着部５３は本体４０の第一密着部４３に対応するようにフレーム５２の外周縁部に形成され、かつ第一水平密着面４３ａに対応かつ密着する第二水平密着面５３ａ、第一垂直密着面４３ｂに対応かつ密着する第二垂直密着面５３ｂ、および、第二垂直密着面５３ｂから外に伸びて形成された辺縁突出部５４を有する。
【００２１】
本体４０は、壁面４２の少なくとも一つの端部に形成された凹面４２１、および、凹面４２１と屈折辺４４との間に形成される後退空間４５を有し、かつ凹面４２１の頂部と第一密着部４３とを連続して凹状の第三密着部４３’を構成することによって第一密着部４３と第三密着部４３’とが連なる部位となる。一方、本体４０の凹面４２１および第三密着部４３’は凹弧状を呈する。第三密着部４３’は外側面に形成された唇部４４’、および、唇部４４’と屈折辺４４との間に形成された円弧凹面４６を有する。
【００２２】
蓋５０のフレーム５２は、本体４０の凹面４２１に対し、第二密着部５３と連続しかつ第三密着部４３’に密着可能な凹状の第四密着部５３’を有することによって第二密着部５３と第四密着部５３’とが連なる部位となる。また、第四密着部５３’は外側に円弧凹面４６に入り込む突出耳部５５を有する。図７および図８に示すように、このとき本体４０は後退空間４５および円弧凹面４６によって両手の指で操作する空間を構成することができる。
【００２３】
図１１に示すように、蓋５０を開ける際、片手の指で本体４０の後退空間４５を持って、別の片手の指で円弧凹面４６内の突出耳部５５を握れば蓋５０を本体４０から持ち上げることができる。
【００２４】
一つの好ましい実施形態において、本体４０の凹面４２１および第三密着部４３’は凹弧状を呈する。第三密着部４３’は外側面に形成された唇部４４’を有する。
【００２５】
本実施形態において、本体４０の第一密着部４３および第三密着部４３’は第一水平密着面４３ａが陥没して形成した第一環状凹溝４３１と、第一垂直密着面４３ｂが外側に突出して形成した第二環状凹溝４３２とを有する。蓋５０の第二密着部５３および第四密着部５３’は第二水平密着面５３ａに第一環状凹溝４３１に嵌合する第一環状突起部５３１が形成され、第二垂直密着面５３ｂに第二環状凹溝４３２に嵌合する第二環状突起部５３２が形成される。蓋５０は本体４０との後側に形成された連結部６５を有し、連結部５６によって持ち上げられる。
【００２６】
蓋５０は頂面に本体４０の底面４１を安定させるための環状突起部５１１を有するため、容器６０は上下に重なる際、安定の便をはかることができるだけでなく、崩れにくい。
【００２７】
本実施形態では、密封効果が極めて良好な容器６０に後退空間４５、円弧凹面４６および突出耳部４５を配置することであるため、蓋５０を開ける際、指操作に用いる空間ができるだけでなく、第三密着部４３’および第四密着部５３’の位置で密封した蓋５０を楽かつ簡単に開けることができる。このような容器６０の長所は、開けるための欠け口が一つだけであれば周縁の密着部を楽かつ簡単に開けることができる。つまり、第三密着部４３’および第四密着部５３’は本実施形態において蓋５０を開けるための「Ｋｅｙ」となる。この部位を開けると蓋５０を迅速に持ち上げることができる。一方、蓋５０は本体４０に密着する際、完全な密封状態になるため、内部の液体食品が漏れないことを確保し、使用上の安全性を果たすことができるだけでなく、使用の際に簡単に開けることができる。
以上、本考案は、上記実施形態になんら限定されるものではなく、考案の趣旨を逸脱しない範囲において種々の形態で実施可能である。
【符号の説明】
【００２８】
４０・・・本体、  
４１・・・底面、  
４２・・・壁面、  
４２１・・・凹面、  
４３・・・第一密着部、  
４３’・・・第三密着部、  
４３ａ・・・第一水平密着面、
４３ｂ・・・第一垂直密着面、  
４３１・・・第一環状凹溝、  
４３２・・・第二環状凹溝、  
４４・・・屈折辺、  
４４’・・・唇部、  
４５・・・後退空間、  
４６・・・円弧凹面、  
５０・・・蓋、  
５１・・・頂面、  
５１１・・・環状突起部、  
５２・・・フレーム、  
５３・・・第二密着部、  
５３’ ・・・第四密着部、  
５３ａ・・・第二水平密着面、  
５３ｂ・・・第二垂直密着面、  
５３１・・・第一環状突起部、  
５３２・・・第二環状突起部、  
５４・・・辺縁突出部、  
５５・・・突出耳部、  
５６・・・連結部、  
６０・・・容器。
【図１】
0003178354.tif 000003
【図２】
0003178354.tif 000004
【図３】
0003178354.tif 000005
【図４】
0003178354.tif 000006
【図５】
0003178354.tif 000007
【図６】
0003178354.tif 000008
【図７】
0003178354.tif 000009
【図８】
0003178354.tif 000010
【図９】
0003178354.tif 000011
【図１０】
0003178354.tif 000012
【図１１】
0003178354.tif 000013